(57)【要約】【課題】シートを挟んだ状態での入力を、筆記具等の太さを正しく認識して受けることのできる入力装置等を提供する。【解決手段】入力装置１０は、検出面上に載置されたシートを介してペンや指などの位置指定体で前記検出面が押圧されている箇所を検出する入力検出部１１と、位置指定体のシートへの接触部分の形状と、入力検出部１１によって検出される位置指定体の接触部分で押圧されている箇所の形状との差を補正するための補正情報を取得する補正情報取得部（状態設定部１３、状態検出部１４）と、入力検出部１１の検出値を上記の補正情報に基づいて補正する入力処理部１７とを有する。【選択図】図３
2015088032.tif 000002
【特許請求の範囲】
【請求項１】
検出面上に載置されたシートを介してペンや指などの位置指定体で前記検出面が押圧されている箇所を検出する入力位置検出部と、
前記位置指定体の前記シートへの接触部分の形状と、前記入力位置検出部によって検出される前記接触部分で押圧されている箇所の形状との差を補正するための補正情報を取得する補正情報取得部と、
前記入力位置検出部の検出値を前記補正情報取得部が取得した前記補正情報に基づいて補正する補正部と、
を有する
ことを特徴とする入力装置。
【請求項２】
前記補正情報は、シートの圧力分散特性に関する情報である
ことを特徴とする請求項１に記載の入力装置。
【請求項３】
前記補正情報は、シートの枚数、種類、厚み、重量のいずれかを含む
ことを特徴とする請求項１または２に記載の入力装置。
【請求項４】
前記検出面に向けて前記シートを押し付けて保持するクリップ部を有し、
前記補正情報取得部は、前記入力位置検出部によって検出された前記シートを介して前記クリップ部の接触箇所で押圧されている箇所の面積または圧力を前記補正情報として取得する
ことを特徴とする請求項１または２に記載の入力装置。
【請求項５】
一端部を中心に回動し他端部で前記シートを前記検出面に向けて押し付けて保持するクリップ部を有し、
前記補正情報取得部は、前記入力位置検出部によって検出された前記シートを介して前記クリップ部の接触箇所で押圧されている箇所の前記クリップ部の前記回動の中心に対する位置、もしくは、前記クリップ部の角度を前記補正情報として取得する
ことを特徴とする請求項１または２に記載の入力装置。
【請求項６】
前記検出面に載置されたシートの一方の面から光を照射し、他方の面に透過してきた光を検出するセンサを有し、
前記補正情報取得部は、前記センサによって検出された光の透過度を前記補正情報として取得する
ことを特徴とする請求項１または２に記載の入力装置。
【請求項７】
前記補正情報は、前記位置指定体の前記接触部分の形状に関する情報である
ことを特徴とする請求項１に記載の入力装置。
【請求項８】
前記補正情報取得部は、前記位置指定体による入力を、前記検出面で直接受けるあるいは前記検出面に所定のシートを載置した状態で受けるテストモードでの試し書きにより、前記位置指定体の前記接触部分の形状に関する情報を取得する
ことを特徴とする請求項７に記載の入力装置。
【請求項９】
前記補正情報取得部は、ユーザから前記補正情報の入力を受ける
ことを特徴とする請求項１、２、３または７に記載の入力装置。
【請求項１０】
前記補正情報取得部は、センサの検出値から前記補正情報を取得する
ことを特徴とする請求項１、２、３または７に記載の入力装置。
【請求項１１】
検出面上に載置されたシートを介してペンや指などの位置指定体で前記検出面が押圧されている箇所を検出する入力位置検出部の検出値を補正する入力値補正方法であって、
前記位置指定体の前記シートへの接触部分の形状と、前記入力位置検出部によって検出される前記シートを介して前記接触部分で押圧されている箇所の形状との差を補正するための補正情報を取得するステップと、
前記入力位置検出部の検出値を前記補正情報に基づいて補正するステップと、
を有する
ことを特徴とする入力値補正方法。
【請求項１２】
前記補正情報は、シートの圧力分散特性に関する情報である
ことを特徴とする請求項１１に記載の入力値補正方法。
【請求項１３】
前記補正情報は、シートの枚数、種類、厚み、重量のいずれかを含む
ことを特徴とする請求項１１または１２に記載の入力値補正方法。
【請求項１４】
前記入力位置検出部は、前記検出面に向けて前記シートを押し付けて保持するクリップ部を有し、
前記補正情報は、前記入力位置検出部によって検出された前記シートを介して前記クリップ部の接触箇所で押圧されている箇所の面積または圧力である
ことを特徴とする請求項１１または１２に記載の入力値補正方法。
【請求項１５】
前記入力位置検出部は、一端部を中心に回動し他端部で前記シートを前記検出面に向けて押し付けて保持するクリップ部を有し、
前記補正情報は、前記入力位置検出部によって検出された前記シートを介して前記クリップ部の接触箇所で押圧されている箇所の前記クリップ部の前記回動の中心に対する位置、もしくは、前記クリップ部の角度である
ことを特徴とする請求項１１または１２に記載の入力値補正方法。
【請求項１６】
前記入力位置検出部は、前記検出面に載置されたシートの一方の面から光を照射し、他方の面に透過してきた光を検出するセンサを有し、
前記補正情報は、前記センサによって検出された光の透過度である
ことを特徴とする請求項１１または１２に記載の入力値補正方法。
【請求項１７】
前記補正情報は、前記位置指定体の前記接触部分の形状に関する情報である
ことを特徴とする請求項１１に記載の入力値補正方法。
【請求項１８】
前記位置指定体による入力を、前記検出面で直接受けるあるいは前記検出面に所定のシートを載置した状態で受けるテストモードでの試し書きにより、前記位置指定体の前記接触部分の形状に関する情報を取得する
ことを特徴とする請求項１７に記載の入力値補正方法。
【請求項１９】
ユーザから前記補正情報の入力を受ける
ことを特徴とする請求項１１、１２、１３または１７に記載の入力値補正方法。
【請求項２０】
センサの検出値から前記補正情報を取得する
ことを特徴とする請求項１１、１２、１３または１７に記載の入力値補正方法。
【請求項２１】
検出面上に載置されたシートを介してペンなどの位置指定体で前記検出面が押圧されている箇所を検出する入力位置検出部を備えた情報処理装置を、請求項１乃至１０のいずれか１つに記載の入力装置として機能させるプログラム。
【発明の詳細な説明】
【技術分野】
【０００１】
本発明は、検出面上に載置された紙などのシートを介してペンなどによる入力を受け付ける入力装置等に関する。
【背景技術】
【０００２】
記入する紙の直下に下敷き型のタッチパネルを敷くことで、筆記具の筆圧を検知して文字情報の入力を受ける入力装置がある（たとえば、特許文献１参照）。
【先行技術文献】
【特許文献】
【０００３】
【特許文献１】特開２００６−１７２２３０号公報
【発明の概要】
【発明が解決しようとする課題】
【０００４】
タッチパネルの上に載置したシートを介してペンなどの筆記具による入力を受ける場合、シートが筆圧を分散するため、筆記具のペン先の面積（幅や太さ）と、シートを介してタッチパネルが検出したペン先の面積に差が生じる。たとえば、図１３（ａ）に示すように、タッチパネル２００の上に載置されたシート２０１が薄く１枚の場合には、筆記具２０２のペン先の面積Ｓ１と、シート２０１を介してタッチパネル２００が検出したペン先の面積Ｓ２との差は小さく、この差が問題になることは少ない。しかし、同図（ｂ）に示すように、シート２０３が複数枚や厚い、あるいは硬い場合には、筆記具２０２のペン先の面積Ｓ１と、シート２０３を介してタッチパネル２００が検出したペン先の面積Ｓ３との差が大きくなり、ユーザが意図しない太さで文字などが入力されてしまう。
【０００５】
また、複数枚のシート２０３を介してペン２０２で入力した場合に検出されるペン先の面積Ｓ３が、１枚のシートを介して指２０４で入力した場合にタッチパネル２００によって検出される面積（指の太さ）Ｓ４に近くなる（同図（ｃ）参照）。そのため、指による入力かペンによる入力かを、検出される面積の大小で判定する場合には、ペンによる入力を、指による入力と誤判定する恐れがある。
【０００６】
本発明は、上記の問題を解決しようとするものであり、筆記具等の太さを正しく認識して、シートを介した入力を受けることのできる入力装置、プログラムおよび入力値補正方法を提供することを目的としている。
【課題を解決するための手段】
【０００７】
かかる目的を達成するための本発明の要旨とするところは、次の各項の発明に存する。
【０００８】
［１］検出面上に載置されたシートを介してペンや指などの位置指定体で前記検出面が押圧されている箇所を検出する入力位置検出部と、
前記位置指定体の前記シートへの接触部分の形状と、前記入力位置検出部によって検出される前記接触部分で押圧されている箇所の形状との差を補正するための補正情報を取得する補正情報取得部と、
前記入力位置検出部の検出値を前記補正情報取得部が取得した前記補正情報に基づいて補正する補正部と、
を有する
ことを特徴とする入力装置。
【０００９】
上記［１］および下記［１１］に記載の発明では、検出面上に載置したシートの枚数等にかかわらず、位置指定体の接触部分（ペンのペン先など）の形状を正しく認識して入力を受けることができる。
【００１０】
［２］前記補正情報は、シートの圧力分散特性に関する情報である
ことを特徴とする［１］に記載の入力装置。
【００１１】
上記［２］および下記［１２］に記載の発明では、補正情報は、シートの一方の面に加えた圧力がシートの他方の面にどのように分散して伝達されるかに係る特性（圧力分散特性）に関する情報である。
【００１２】
［３］前記補正情報は、シートの枚数、種類、厚み、重量のいずれかを含む
ことを特徴とする［１］または［２］に記載の入力装置。
【００１３】
［４］前記検出面に向けて前記シートを押し付けて保持するクリップ部を有し、
前記補正情報取得部は、前記入力位置検出部によって検出された前記シートを介して前記クリップ部の接触箇所で押圧されている箇所の面積または圧力を前記補正情報として取得する
ことを特徴とする［１］または［２］に記載の入力装置。
【００１４】
上記［４］および下記［１４］に記載の発明では、実際のクリップ部の接触箇所の面積は既知なので、入力位置検出部によって検出されたクリップ部の接触箇所の面積を補正情報として取得すれば、シートを介在させたことで元の面積がどのように拡大して検出されるかを認識して、検出値を補正することができる。また、シートを挟むとクリップ部が押圧する圧力が分散して伝播されるので、元の圧力が既知であれば、シートを介して検出された圧力からシートの枚数などを推定し、シートを介して位置指定体で入力する時の検出値を補正することができる。
【００１５】
［５］一端部を中心に回動し他端部で前記シートを前記検出面に向けて押し付けて保持するクリップ部を有し、
前記補正情報取得部は、前記入力位置検出部によって検出された前記シートを介して前記クリップ部の接触箇所で押圧されている箇所の前記クリップ部の前記回動の中心に対する位置、もしくは、前記クリップ部の角度を前記補正情報として取得する
ことを特徴とする［１］または［２］に記載の入力装置。
【００１６】
上記［５］および下記［１５］に記載の発明では、クリップ部が一端部を中心に回動し他端部でシートを検出面に向けて押し付ける構造の場合、シートの枚数が増えるに従って、入力位置検出部によって検出された押圧箇所の位置が移動する、また、クリップ部の傾斜が大きくなるので、いずれかを検出することでシートの枚数を推定し、シートを介して位置指定体で入力する時の検出値を補正することができる。
【００１７】
［６］前記検出面に載置されたシートの一方の面から光を照射し、他方の面に透過してきた光を検出するセンサを有し、
前記補正情報取得部は、前記センサによって検出された光の透過度を前記補正情報として取得する
ことを特徴とする［１］または［２］に記載の入力装置。
【００１８】
上記［６］および下記［１６］に記載の発明では、シートの枚数が増えるほど、光の透過度が低下することを利用してシートの枚数を推定し、シートを介して位置指定体で入力する時の検出値を補正する。
【００１９】
［７］前記補正情報は、前記位置指定体の前記接触部分の形状に関する情報である
ことを特徴とする［１］に記載の入力装置。
【００２０】
上記［７］および下記［１７］に記載の発明では、補正情報は、位置指定体の接触部分の形状、たとえば、ペン先の形状（幅や面積）に係る情報である。ペン先の形状（幅や面積）が分かれば、シートを介して位置指定体で入力する時に入力位置検出部が検出した押圧箇所の形状を、実際のペン先の形状に補正することができる。
【００２１】
［８］前記補正情報取得部は、前記位置指定体による入力を、前記検出面で直接受けるあるいは前記検出面に所定のシートを載置した状態で受けるテストモードでの試し書きにより、前記位置指定体の前記接触部分の形状に関する情報を取得する
ことを特徴とする［７］に記載の入力装置。
【００２２】
上記［８］および下記［１８］に記載の発明では、テストモードでの試し書きにより、位置指定体の前記接触部分の形状に関する情報を取得する。
【００２３】
［９］前記補正情報取得部は、ユーザから前記補正情報の入力を受ける
ことを特徴とする［１］、［２］、［３］または［７］に記載の入力装置。
【００２４】
［１０］前記補正情報取得部は、センサの検出値から前記補正情報を取得する
ことを特徴とする［１］、［２］、［３］または［７］に記載の入力装置。
【００２５】
［１１］検出面上に載置されたシートを介してペンや指などの位置指定体で前記検出面が押圧されている箇所を検出する入力位置検出部の検出値を補正する入力値補正方法であって、
前記位置指定体の前記シートへの接触部分の形状と、前記入力位置検出部によって検出される前記シートを介して前記接触部分で押圧されている箇所の形状との差を補正するための補正情報を取得するステップと、
前記入力位置検出部の検出値を前記補正情報に基づいて補正するステップと、
を有する
ことを特徴とする入力値補正方法。
【００２６】
［１２］前記補正情報は、シートの圧力分散特性に関する情報である
ことを特徴とする［１１］に記載の入力値補正方法。
【００２７】
［１３］前記補正情報は、シートの枚数、種類、厚み、重量のいずれかを含む
ことを特徴とする［１１］または［１２］に記載の入力値補正方法。
【００２８】
［１４］前記入力位置検出部は、前記検出面に向けて前記シートを押し付けて保持するクリップ部を有し、
前記補正情報は、前記入力位置検出部によって検出された前記シートを介して前記クリップ部の接触箇所で押圧されている箇所の面積または圧力である
ことを特徴とする［１１］または［１２］に記載の入力値補正方法。
【００２９】
［１５］前記入力位置検出部は、一端部を中心に回動し他端部で前記シートを前記検出面に向けて押し付けて保持するクリップ部を有し、
前記補正情報は、前記入力位置検出部によって検出された前記シートを介して前記クリップ部の接触箇所で押圧されている箇所の前記クリップ部の前記回動の中心に対する位置、もしくは、前記クリップ部の角度である
ことを特徴とする［１１］または［１２］に記載の入力値補正方法。
【００３０】
［１６］前記入力位置検出部は、前記検出面に載置されたシートの一方の面から光を照射し、他方の面に透過してきた光を検出するセンサを有し、
前記補正情報は、前記センサによって検出された光の透過度である
ことを特徴とする［１１］または［１２］に記載の入力値補正方法。
【００３１】
［１７］前記補正情報は、前記位置指定体の前記接触部分の形状に関する情報である
ことを特徴とする［１１］に記載の入力値補正方法。
【００３２】
［１８］前記位置指定体による入力を、前記検出面で直接受けるあるいは前記検出面に所定のシートを載置した状態で受けるテストモードでの試し書きにより、前記位置指定体の前記接触部分の形状に関する情報を取得する
ことを特徴とする［１７］に記載の入力値補正方法。
【００３３】
［１９］ユーザから前記補正情報の入力を受ける
ことを特徴とする［１１］、［１２］、［１３］または［１７］に記載の入力値補正方法。
【００３４】
［２０］センサの検出値から前記補正情報を取得する
ことを特徴とする［１１］、［１２］、［１３］または［１７］に記載の入力値補正方法。
【００３５】
［２１］検出面上に載置されたシートを介してペンなどの位置指定体で前記検出面が押圧されている箇所を検出する入力位置検出部を備えた情報処理装置を、［１］乃至［１０］のいずれか１つに記載の入力装置として機能させるプログラム。
【発明の効果】
【００３６】
本発明に係る入力装置、プログラムおよび入力値補正方法によれば、筆記具等の太さを正しく認識して、シートを介した入力を受けることができる。
【図面の簡単な説明】
【００３７】
【図１】本発明の実施の形態に係る入力装置の外観を示す斜視図である。
【図２】本発明の実施の形態に係る入力装置の使用状態の一例を示す説明図である。
【図３】本発明の実施の形態に係る入力装置の概略構成を示すブロック図である。
【図４】本発明の実施の形態に係る入力装置が行う処理の概要を示す流れ図である。
【図５】入力検出部による入力検出とその検出値を補正して出力する処理（図４のステップＳ１０２）の詳細を示す流れ図である。
【図６】状態設定部で受けた設定値によって補正の係数を決定して保存する動き（図４のステップＳ１０１に対応する動き）を示すシーケンス図である。
【図７】シートの枚数の設定を受ける操作表示部の一例を示す図である。
【図８】係数決定テーブルの一例を示す図である。
【図９】状態検出部のセンサ出力値に基づいて補正の係数を決定して保存する動きを示すシーケンス図である。
【図１０】クリップ部で挟持したシートの枚数によって入力検出部１１が検出する面積が相違することを示す図である。
【図１１】クリップ部で挟持したシートの枚数によって入力検出部１１がその押圧箇所を検出する位置やクリップ部の角度が相違することを示す図である。
【図１２】ペンなどで入力を受けた場合の動き（図４のステップＳ１０２および図５に対応する動き）を示すシーケンス図である。
【図１３】タッチパネルの上に載置したシートの枚数によってタッチパネルが検出するペン先の面積が変化することを示す図である。
【発明を実施するための形態】
【００３８】
以下、図面に基づき本発明の実施の形態を説明する。
【００３９】
図１は、本発明の実施の形態に係る入力装置１０の外観を示している。図２は、入力装置１０の使用状態の一例を示している。入力装置１０は、平らな矩形の板状を成した下敷き型のタッチパネルである入力検出部１１と、この入力検出部１１の検出面１１ａ上に載置された紙などのシート３を検出面１１ａ上に保持するためのクリップ部１２を備えている。
【００４０】
入力装置１０は、入力検出部１１の検出面１１ａ上に載置されたシート３にペン４などでユーザが記入した内容を検出する。具体的には、入力検出部１１は、シート３を介してペン先などで押圧されて圧力が加えられた箇所を逐次検出することで、ペン先の軌跡を検出する。なお、入力は、ペン４のほか、指や消しゴムなどで行われる。以後、入力検出部１１に対して入力を行うペン、指、消しゴムなどを位置指定体と総称するものとする。
【００４１】
入力検出部１１による検出は、０．０５秒などの短時間毎に繰り返し行われる。そのため、位置指定体を移動させて文字などを記入しているときでも、１回の検出では、静止した状態での位置指定体の接触部分に対応した形状（幅や面積）が検出される。この検出を繰り返し行うことで、位置指定体の動き（軌跡）が認識される。ここでは、入力検出部１１は、ペン４等による入力を検出するデジタル抵抗膜式のタッチパネルである。
【００４２】
図３は、入力装置１０の概略構成を示すブロック図である。入力装置１０は、入力検出部１１、状態設定部１３、状態検出部１４、状態処理部１５、係数保存部１６、入力処理部１７、物体判定部１８、出力部１９などを備えて構成される。入力装置１０は、たとえば、ＣＰＵ（Central Processing Unit）に、ＲＯＭ（Read Only Memory）、ＲＡＭ（Random Access Memory）、入力検出部１１、状態設定部１３、出力部１９などを接続して構成され、ＣＰＵがＲＯＭに格納されているプログラムを実行することで入力装置１０としての機能が実現される。
【００４３】
状態設定部１３、状態検出部１４は、入力検出部１１の検出面１１ａ上に載置されたシート３に記入する位置指定体の該シート３への接触部分の形状（幅や面積）と、入力検出部１１によって検出されるその接触部分で押圧されている箇所の形状との差を補正するための補正情報を取得する。
【００４４】
状態設定部１３は、上記の補正情報として、ユーザからシート３やペン４などに関する情報の設定を受け付ける。たとえば、入力検出部１１の検出面１１ａ上に載置したシート３の枚数や種類（シート３の圧力分散特性に関する情報）、使用する位置指定体の種類、ペン先の幅（ペン太さφ）などに関する情報の設定を受け付ける。設定を受ける項目は上記の中の１つでもよいし、複数の組み合わせでもよい。なお、圧力分散特性とは、入力検出部１１の検出面１１ａ上に載置したシート３の表面（上側の面）に加えた圧力がシートの裏面（下側の面）にどのように分散して伝達されるかに係る特性である。
【００４５】
状態検出部１４は、上記の補正情報を取得するための各種のセンサである。たとえば、クリップ部１２の押圧面積、クリップ部１２の角度、入力装置１０の自重などを検出する。
【００４６】
状態処理部１５は、状態設定部１３で受け付けた設定値や状態検出部１４のセンサの出力値から、入力検出部１１の検出値を補正する際の係数を導出する。たとえば、シート３を介して入力検出部１１が検出した位置指定体の接触部分（たとえばペン先）の形状（幅や面積）を、シート３を実際に押圧している位置指定体の接触部分の幅や面積に補正するための係数を求める。具体的には、状態設定部１３で受けた設定値や状態検出部１４の出力値を何らかの数式に代入して、あるいは状態設定部１３で受けた設定値や状態検出部１４の出力値で所定の係数決定テーブルを参照して、係数を求める。
【００４７】
係数保存部１６は、状態処理部１５が求めた係数を記憶する。記憶場所は、入力装置１０が有するＲＡＭなどでよい。
【００４８】
入力処理部１７は、入力検出部１１の検出した位置指定体の接触部分の幅や面積を、係数保存部１６に保存されている係数で補正し、位置指定体の接触部分の実際の幅や面積を推定して求める。
【００４９】
物体判定部１８は、入力処理部１７で補正後の位置指定体の接触部分の幅や面積と、検出された位置指定体の接触部分の動き方とから、位置指定体の種類を判定する。ここでは、位置指定体がペン、修正ペン、指、消しゴム等であるか否かを判定する。
【００５０】
出力部１９は、物体判定部１８の判定結果が示す位置指定体の種類に応じて、入力検出部１１で検出された入力に対する出力を行う。たとえば、位置指定体がペンであると判定された場合は、ペンの軌跡を出力する。位置指定体が指であると判定された場合は、ジェスチャの入力として扱い、入力されたジェスチャに対応する処理を行う。ジェスチャは、たとえば、フリック、ピンチイン、ピンチアウトなどである。位置指定体が消しゴムであると判定された場合は、該位置指定体の軌跡に対応する箇所に既にあった入力内容を削除する処理を行う。出力先は、出力部１９に接続されたディスプレイ２１やファイルシステム、ＰＣ（パーソナルコンピュータ）などである。
【００５１】
図４は、入力装置１０が行う処理の概要を示している。入力装置１０は、まず、係数を決定する処理を行い（ステップＳ１０１）、その後は、入力検出部１１による入力検出とその検出値を補正して出力する処理を行う（ステップＳ１０２）。係数を決定する処理は、状態設定部１３によりユーザから受け付けた設定値に基づいて係数を決定する場合と、状態検出部１４のセンサ出力値に基づいて係数を決定する場合がある。
【００５２】
図５は、入力検出部１１による入力検出とその検出値を補正して出力する処理（図４のステップＳ１０２）の詳細を示している。まず、入力検出部１１によって入力が検出される（ステップＳ１１１）。すなわち、入力検出部１１の検出面１１ａ上を位置指定体の接触部分が押圧している位置およびその部分の形状（幅や面積）が検出される。
【００５３】
次に、入力検出部１１の検出値を、図４のステップＳ１０１で求めた係数に基づいて補正する入力値補正処理を行う（ステップＳ１１２）。
【００５４】
次に、補正値に基づく位置指定体の種類の判別処理を行う（ステップＳ１１３）。ここでは、位置指定体の接触部分の幅や面積の取り得る範囲を位置指定体別にあらかじめ定めておき、検出値を補正して得た位置指定体の接触部分の幅や面積の値が、どの種類の位置指定体の前記範囲に入っているかによって、位置指定体の種類を判定する。
【００５５】
次に、位置指定体の動きに基づいて位置指定体の種類の判別処理を行う（ステップＳ１１４）。たとえば、ステップＳ１１３により、位置指定体の種類がペンと判定された場合に、ペン先が細かい円を描きながら移動するような動きの場合は、修正ペンによって消す作業であったと判定する。そうでなければ、通常のペンによる文字等の記入であると判定する。また、位置指定体の接触部分の幅や面積のみでは、指と消しゴムとを明確に識別することは難しいので、ステップＳ１１３で指または消しゴムと判定された場合に、その動き方が細かい往復運動であれば消しゴムと判定し、ピンチアウトなど特定のジェスチャ動作であれば指と判定するといったことを行う。
【００５６】
そして、最終的に判定した種類の位置指定体として、入力に対応する出力処理を行う（ステップＳ１１５）。すなわち、ペンと判定された場合は、今回の入力軌跡に対応する線を出力し、修正ペンと判定された場合は、今回の入力軌跡に対応するエリアを白で塗りつぶす、あるいは消去し、消しゴムと判定された場合は、今回の入力軌跡に対応するエリアに存在していた文字や線分などを消去する処理を行い、指と判定された場合は、今回入力されたジェスチャに対応する処理を行う。
【００５７】
図６は、状態設定部１３で受けた設定値に基づいて補正の係数を決定して保存するまでの動き（図４のステップＳ１０１に対応する動き）を示している。まず、ユーザは、シート３を入力装置１０の入力検出部１１の検出面１１ａ上に置き（Ｐ００１）、シート３やペン４に関する情報を入力検出部１１にて設定する（Ｐ００２）。たとえば、図７に示すような操作表示部３０により、検出面１１ａ上に載置したシート３の枚数の設定を受け付ける。
【００５８】
図７の操作表示部３０は、上向き三角の操作釦３１と、下向き三角の操作釦３２と、現在の設定枚数を表示する表示部３３とを備えている。上向き三角の操作釦３１を押下する毎に枚数が１ずつ加算され、下向き三角の操作釦３２を押下する毎に枚数が０を下限として１ずつ減算される。
【００５９】
設定する情報はシート３の枚数に限定されず、シート３の種類、厚み、位置指定体の種類やペン先の幅などである。
【００６０】
図６に戻って説明を続ける。上記の設定を受けた状態設定部１３は、その設定値を状態処理部１５に通知する（Ｐ００３）。
【００６１】
状態処理部１５は、状態設定部１３から送られてきた設定値から補正のための係数を決定する（Ｐ００４）。
【００６２】
図８は、設定値から係数を求めるための係数決定テーブル４０の一例を示している。係数決定テーブル４０は、シート３の枚数から係数を求めるものであり、枚数毎にその枚数に対応する係数値が予め登録されている。なお、シート３の種類と枚数の設定を受ける場合には、シート３の種類別に図８の係数決定テーブル４０を用意し、設定されたシート３の種類に対応する係数決定テーブル４０を、設定された枚数で参照して係数を求めればよい。
【００６３】
図６に戻って説明を続ける。状態処理部１５は決定した係数を係数保存部１６に通知し（Ｐ００５）、係数保存部１６はこの係数を保存する（Ｐ００６）。
【００６４】
次に、状態検出部１４のセンサ出力値に基づいて補正の係数を決定して保存する場合の動作を説明する。
【００６５】
図９は、状態検出部１４のセンサ出力値に基づいて補正の係数を決定して保存する動作を示している。ここでは、クリップ部１２がシート３を挟み込んで押圧する部分（接触箇所）にも入力検出部１１の検出面１１ａが存在しており、入力検出部１１が検出したクリップ部１２の接触箇所の形状（幅や面積）に基づいて、係数を決定する場合を例に説明する。なお、クリップ部１２による押圧をシート３を介して検出するセンサは、入力検出部１１と別途に設けられてもよい。
【００６６】
まず、ユーザは、シート３を入力装置１０の入力検出部１１の検出面１１ａ上に置き、クリップ部１２でシート３の端部近傍を挟み込む（Ｐ１０１）。状態検出部１４は、クリップ部１２によって押さえ付けられたシート３の状態をセンサで検出し、その検出値を状態処理部１５に通知する（Ｐ１０２）。状態処理部１５は、通知された検出値に基づいて補正の係数を決定する（Ｐ１０３）。
【００６７】
ここでは、前述したように、シート３を介してクリップ部１２の接触箇所で押圧されている部分の形状を検出する状態検出部１４として入力検出部１１が機能する。なお、別途のセンサで上記の検出を行ってもよい。
【００６８】
図１０（ａ）に示すように、シート３が１枚の場合には、状態検出部１４（入力検出部１１）が検出したクリップ部１２の接触箇所の形状（幅や面積）Ｓｄと実際のクリップ部１２の接触箇所の形状（幅や面積）Ｓｃとの差は少ない。一方、同図（ｂ）に示すように、シート３の枚数が多くなると、それに伴って、シート３による圧力分散が進むため、状態検出部１４（入力検出部１１）が検出するクリップ部１２の接触箇所の形状（幅や面積）Ｓｄが実際のクリップ部１２の接触箇所の形状（幅や面積）Ｓｃより大きくなる。
【００６９】
クリップ部１２の接触箇所の形は固定なので、状態検出部１４（入力検出部１１）が検出したクリップ部１２の接触箇所の形状（幅や面積）から、シート３によって圧力分散がどの程度生じたかを認識できるので、それに対応する補正の係数を決定する。ここでは、状態検出部１４（入力検出部１１）によって検出されるクリップ部１２の接触箇所の形状（幅や面積の値）毎に、これに対応する適切な係数の値を予め求めておき、これを係数決定テーブル４０のようにテーブル化したものを記憶しておく。そして、状態処理部１５は、状態検出部１４（入力検出部１１）がＰ１０２で検出したクリップ部１２の接触箇所の形状（幅や面積）で上記のテーブルを参照して係数を決定する。
【００７０】
状態処理部１５は決定した係数を係数保存部１６に通知し（Ｐ１０４）、係数保存部１６はこの係数を保存する（Ｐ１０５）。
【００７１】
なお、センサを利用した係数の決定は上記に限定されず、以下のようなものでもよい。
【００７２】
（１）クリップ部１２が入力検出部１１を押圧する位置に基づいて係数を決定する
図１１に示すように、クリップ部１２を、その一端部Ｑを中心に回動し他端部でシート３を検出面１１ａに向けて押し付ける構成とし、検出面１１ａ上でのクリップ部１２の回動半径方向における所定の位置（たとえば、回動中心Ｑ）と入力検出部１１が検出したクリップ部１２の接触箇所との距離（Ｌ）に基づいて、クリップ部１２が挟持しているシート３の枚数（厚み）を推定して係数を決定する。図１１では、クリップ部１２が挟持しているシート３の枚数（厚み）が増すほど、距離Ｌは短くなる。たとえば、距離Ｌ毎にこれに対応する係数値を予め登録した係数決定テーブルを用意しておき、このテーブルを検出された距離Ｌで参照して係数を決定する。
【００７３】
（２）クリップ部１２の角度に基づいて係数を決定する
図１１に示すクリップ部１２の傾斜角度を検出するセンサ（たとえば、ジャイロセンサー）を設ける。クリップ部１２の傾斜角度は、クリップ部１２が挟持するシート３の枚数（厚み）に応じて変化する。そこで、クリップ部１２が挟持しているシート３の枚数（厚み）を傾斜角度に基づいて推定して係数を決定する。たとえば、傾斜角度毎にこれに対応する係数値を予め登録した係数決定テーブルを用意しておき、このテーブルをセンサで検出された傾斜角度で参照して係数を決定する。
【００７４】
なお、シート３の厚みを検出する機構は上記に限定されない。たとえば、検出面１１ａに対して垂直方向に上下移動すると共に検出面１１ａに向けて付勢された構成のクリップ部の場合には、該クリック部で検出面１１ａとの間に挟んでいるシート３の厚みを、該クリップの上下の位置を検出するセンサによって検出する。
【００７５】
（３）入力検出部１１の検出面１１ａがクリップ部１２から受ける圧力に基づいて係数を決定する
入力検出部１１の検出面１１ａがクリップ部１２から受ける単位面積あたりの力（圧力）は、クリップ部１２が挟持しているシート３の枚数（厚み）が増えるほど、圧力分散が生じるために小さくなる。そこで、クリップ部１２から受ける圧力を入力検出部１１が検出し、その圧力値からクリップ部１２が挟持しているシート３の枚数（厚み）を推定して係数を決定する。たとえば、圧力値毎にこれに対応する係数値を予め登録した係数決定テーブルを用意しておき、このテーブルをセンサで検出された圧力値で参照して係数を決定する。
【００７６】
（４）シート３の重量に基づいて係数を決定する
入力検出部１１の検出面１１ａに載置されたシート３の重量からシート３の枚数（厚み）を推定する。たとえば、入力装置１０に自重を計測するセンサを設け、シート３を載せない状態での入力装置１０の重量と、シート３を載せたときの入力装置１０の重量との差からシート３の枚数（厚み）を推定する。差の重量毎にこれに対応する係数値を予め登録した係数決定テーブルを用意しておき、このテーブルを検出された差の重量で参照して係数を決定する。
【００７７】
（５）光の透過度に基づいて係数を決定する
入力検出部１１の検出面１１ａに載置されたシート３の一方の面から光を照射し、シート３の他方の面に透過してきた光を検出するセンサを設け、光の透過度に基づいてシート３の枚数（厚み）を推定して係数を決定する。たとえば、透過度毎にこれに対応する係数値を予め登録した係数決定テーブルを用意しておき、このテーブルを検出された透過度で参照して係数を決定する。
【００７８】
図１２は、ペンなどの位置指定体で入力を受けた場合の動作（図４のステップＳ１０２および図５に対応する動作）を示している。ユーザは、入力装置１０の入力検出部１１の検出面１１ａに載置したシート３に対してペン４などの位置指定体で記入する（Ｐ３０１）。入力検出部１１はペン４などの位置指定体による入力を検出する。このとき、位置指定体の接触部分の形状（ここでは面積とする）も検出し（Ｐ３０２）、これを入力処理部１７に通知する（Ｐ３０３）。
【００７９】
入力処理部１７は、検出面１１ａ上に現在載置されているシート３の状況に対応する係数を係数保存部１６から取得する（Ｐ３０４、Ｐ３０５）。そして、入力検出部１１から通知された面積を、該面積に係数保存部１６から取得した係数を掛け合わせて補正し、実際の位置指定体の接触部分の面積を算出する（Ｐ３０６）。入力処理部１７は、この算出した面積を物体判定部１８に通知する（Ｐ３０７）。
【００８０】
物体判定部１８は、通知された面積と検出された位置指定体の動きとから、位置指定体の種類を判定する（Ｐ３０８）。出力部１９は、物体判定部１８の判定結果に対応した出力を行う。たとえば、判定結果がペンであれば、Ｐ３０６で算出した面積をペン先の太さとして、ペンで入力された軌跡を表示する。判定結果が修正ペンであれば、Ｐ３０６で算出した面積を修正ペンのペン先の太さとして表示の消去処理を行う。判定結果が指であれば、ジェスチャの種類を判定して、そのジェスチャに対応する処理を行う。
【００８１】
このように、ペン４などの位置指定体のシート３への接触部分の形状（幅や面積）と、入力検出部１１によって検出された該接触部分で押圧されている箇所の形状（幅や面積）との差を補正するための補正情報を取得し、補正情報に基づいて求めた係数で入力検出部１１の検出値を補正するので、シートを挟んだ状態での入力を、筆記具等の太さを正しく認識して受けることができる。また、面積でペンと指とを判別する場合においては、ペンを指と誤判定することが防止される。
【００８２】
なお、上記の例では、係数を求めて補正したが、位置指定体の接触部分の形状（幅や面積）に係る補正情報を取得し、この補正情報が示す形状で入力が行われたとして、入力検出部１１の検出値を補正するように構成してもよい。
【００８３】
すなわち、状態設定部１３にてユーザからペン先など位置指定体の接触部分の形状（幅や面積）に関する設定を受け、入力検出部１１の検出した位置指定体の接触部分の形状（幅や面積）を、設定された形状（幅や面積）に置き換えて補正し、位置指定体による入力を受ける。
【００８４】
また、状態検出部１４でペン先など位置指定体の接触部分の形状（幅や面積）を検出するように構成してもよい。たとえば、ペンなど、ユーザが使用する位置指定体による手書き入力を、入力検出部１１の検出面１１ａで直接受ける、あるいは検出面１１ａ上に所定のシート（たとえば、１枚の標準のシート）を載置した状態で受けるテストモードを設け、このテストモードでの試し書きにより、ユーザが使用する位置指定体の接触部分の形状（幅や面積）を検出する。そして、任意のシート３を挟んだ通常の入力検出では、入力検出部１１が検出した位置指定体の接触部分の形状（幅や面積）を、テストモードで検出した接触部分の形状に置き換えて補正し、位置指定体による入力を受ける。
【００８５】
以上、本発明の実施の形態を図面によって説明してきたが、具体的な構成は実施の形態に示したものに限られるものではなく、本発明の要旨を逸脱しない範囲における変更や追加があっても本発明に含まれる。
【００８６】
たとえば、実施の形態では、入力検出部１１としてデジタル抵抗膜式タッチパネルを用いたが、これに限定されず、一定以上の圧力で押圧されている箇所を検出するタッチパネルであればよい。
【００８７】
係数で補正する場合には、入力検出部１１の検出した押圧部分の形状を、係数が示す割合の大きさに、相似形で縮小するように補正するとよい。
【符号の説明】
【００８８】
３…シート
４…ペン
１０…入力装置
１１…入力検出部
１１ａ…検出面
１２…クリップ部
１３…状態設定部
１４…状態検出部
１５…状態処理部
１６…係数保存部
１７…入力処理部
１８…物体判定部
１９…出力部
２１…ディスプレイ
３０…操作表示部
３１…上向き三角の操作釦
３２…下向き三角の操作釦
３３…表示部
４０…係数決定テーブル
【図３】
2015088032.tif 000003
【図４】
2015088032.tif 000004
【図５】
2015088032.tif 000005
【図７】
2015088032.tif 000006
【図８】
2015088032.tif 000007
【図１】
2015088032.tif 000008
【図２】
2015088032.tif 000009
【図６】
2015088032.tif 000010
【図９】
2015088032.tif 000011
【図１０】
2015088032.tif 000012
【図１１】
2015088032.tif 000013
【図１２】
2015088032.tif 000014
【図１３】
2015088032.tif 000015